(57)【要約】【課題】  本発明は、ボディソープや家庭用洗剤などのポンプボトルに、詰め替えパックの中身を容易に詰め替えるための詰め替え補助具を提供する。【解決手段】    ポンプボトルの注入域にすっぽりと被さるほどの内径を有した円筒体を縦置きにして、上下のほぼ中間に厚仕切りが設けてある。厚仕切りの中央部には、排出路が設けてあり、排出路の縁から注入差込尖筒部が立ち上がっており、注入差込尖筒部は頭部域から排出路縁へ向かって裾広がりにテーパーをつけ、頭部域から三方に縦に細長く切り欠いた注入スリット孔が設けてあり、注入スリット孔と交互に現れる尖筒テーパー格子は排出路の内壁に添って下端まで連続し、壁面との間にできた溝が落流ガイド溝と成り、段差凸リブの下端縁には尖筒テーパー格子から連続して、落流ガイドが設けてあることを特徴とするボディソープや家庭用洗剤などの詰め替え補助具。【選択図】図１
2019172366.tif 000002
【特許請求の範囲】
【請求項１】
ポンプボトルの注入口域にすっぽりと被さるほどの内径を有し、上下に開口した円筒体を、平面に立て置いた場合の筒内に於いて、
上下のほぼ中間に厚仕切りが設けてあり、厚仕切りを挟んで上方側が詰め替えパックに当てがわれる注入側、下方側がポンプボトルに当てがわれる排出側となるのであり、
注入側において、
厚仕切りの中央部には、詰め替えパックの注ぎ口の内径を上回る径の貫通トンネル即ち排出路が設けてあり、
厚仕切りの排出路を取り巻く面を受皿部と称するが、受皿部は、外円周端から中心部即ち排出路へ向かって下り斜面を成し、
排出路の縁から、先端が丸く先細った尖筒状で、詰め替えパックの注ぎ口に差し込みセットされる注入差込尖筒部が立ち上がっており、
注入差込尖筒部は、詰め替えパック注ぎ口の内径より僅かに小径であり、頭部域から詰め替えパックの注ぎ口の内径より僅かに大径になり根元の排出路縁へ向かって、壁面は径の差の分だけ僅かに裾広がりにテーパーをつけてあり、且つ、この壁面の頭部域を除く三方に等間隔で、縦に細長く切り欠いた注入スリット孔が設けてあり、壁面は注入スリット孔と交互に現れる格子状の面即ち尖筒テーパー格子を成し、尖筒テーパー格子は排出路の内壁に添って下端まで、尖筒テーパー格子リブと尖筒テーパー格子の厚み分だけ内側へ出っ張りながら連続しているのであるが、
排出側において、
厚仕切り面に現れる排出路の下端縁を周回して、厚み幅数ミリで厚仕切り面から数ミリ突き出る形で、段差凸リブが設けてあり、排出路内壁には、尖筒テーパー格子の出っ張り分だけ壁面との間にできた溝が、詰め替えパックから流れ落ちる落流ガイド溝として現れ、段差凸リブの下端縁には、尖筒テーパー格子から連続して、下方に向かって約十数ミリ突き出した落流ガイドが設けてあることを特徴とするボディソープや家庭用洗剤などの詰め替え補助具。
【発明の詳細な説明】
【技術分野】
【０００１】  本発明は、ボディソープや家庭用洗剤などのポンプボトルに、詰め替えパックの中身を容易に詰め替えるための、ボディソープや家庭用洗剤などの詰め替え補助具に関するものである。
【背景技術】
【０００２】  従来、ボディソープや家庭用洗剤などの使用済みポンプボトルに、詰め替えパックの注ぎ口を直接ポンプボトルの注入口に差し込んで、詰め替えパックの中身の詰め替えを行っていた。
【発明の概要】
【発明が解決しようとする課題】
【０００３】  そのため、次のような問題点があった。
（イ）詰め替えパックの注ぎ口を、ポンプボトルの注入口に僅かに差し込んでいるだけなので、詰め替えパックの中身を絞り出している時に、手がブレるとポンプボトルが倒れる。
（ロ）詰め替えパックの中身を残さずに絞り出そうとして、手元に集中していると、詰め替えパックの注ぎ口がポンプボトルの注入口から外れて、詰め替えパックの中身を溢す。
（ハ）原液の粘性によって、詰め替えパックの注ぎ口で中身がスムーズに落下せず、渋滞を起こして詰まってしまう。
本発明は、これらの問題点を解決するためになされたものである。
【課題を解決するための手段】
【０００４】  ポンプボトルの注入口域にすっぽり被さるほどの内径を有し、上下に開口した高さ約３５ミリの円筒体を、平面に立て置いた場合の筒内に於いて、
上下のほぼ中間に厚仕切りが設けてあり、厚仕切りを挟んで上方側が詰め替えパックに当てがわれる注入側、下方側がポンプボトルに当てがわれる排出側となる。
注入側において、
厚仕切りの中央部には、詰め替えパックの注ぎ口の内径を上回る約１６ミリ径の貫通トンネル即ち排出路が設けてあり、
厚仕切りの排出路を取り巻く面を受皿部と称するが、受皿部は、外円周端から中心部即ち排出路へ向かって約４５°の下り斜面を成し、
排出路の縁から、丁度ミサイルの弾頭もしくはリップスティックの様な先端が丸く先細った尖筒状で、詰め替えパックの注ぎ口に差し込みセットされる約４０ミリ高さの注入差込尖筒部が尖筒テーパー格子リブを介して立ち上がっており、
注入差込尖筒部は、詰め替えパック注ぎ口の内径より僅かに小径であり、頭部域から詰め替えパックの注ぎ口の内径より僅かに大径になり根元の排出路縁へ向かって、壁面は径の差の分だけ僅かに裾広がりにテーパーをつけてあり、且つ、この壁面の頭部域即ち尖筒部ヘッドを除く三方に等間隔で、縦に細長く切り欠いた注入スリット孔が設けてあり、壁面は注入スリット孔と交互に現れる格子状の面即ち尖筒テーパー格子を成し、尖筒テーパー格子は排出路の内壁に添って下端まで、尖筒テーパー格子リブと尖筒テーパー格子の厚みの分だけ内側へ出っ張りながら連続している。
排出側において、
厚仕切り面に現れる排出路の下端縁を周回して、厚み幅２ミリで厚仕切り面から２ミリ突き出る形で、段差凸リブが設けてあり、排出路内壁には、尖筒テーパー格子の出っ張り分だけ壁面との間にできた溝が、詰め替えパックから流れ落ちる落流ガイド溝として現れ、段差凸リブの下端縁には、尖筒テーパー格子から連続して、下方に向かって約１２ミリ突き出した落流ガイドが設けてある。
斯様に形成された円筒体が、注入側の上端開口縁一杯に詰め替えパックの注ぎ口に装着セットされ、排出側の下端開口縁をポンプボトルの注入口にすっぽり被せる形で装着セットされて、速やかな詰め替え作業が行われるのである。
以上を特徴とするボディソープや家庭用洗剤などの詰め替え補助具である。
【発明の効果】
【０００５】（イ）詰め替えパックの注ぎ口に、詰め替え補助具の注入差込尖筒部を差し込み、ポンプボトルの注入口に詰め替え補助具の排出側を被せることにより、詰め替えパックとポンプボトルが一体化されて、簡単にポンプボトルが倒れることはない。
（ロ）詰め替えパックの注ぎ口に、詰め替え補助具の注入差込尖筒部を軽くねじ込むことにより、詰め替えパックの注ぎ口が安定して、中身を溢すことがなくなる。
（ハ）詰め替え補助具の排出路は、詰め替えパックの注ぎ口の内径より口径が大きく、また、落流ガイドによって粘性の強い原液でもスムーズに下方へ導かれて、詰まることはなくなる。
【図面の簡単な説明】
【０００６】
【図１】  本発明において注入側（イ）と排出側（ロ）から見た斜視図
【図２】  本発明の縦断面図
【図３】  本発明の使用状態を示した正面図
【図４】  本発明の使用において、詰め替えパックとポンプボトルにセットした状態を分かりやすく示したイメージ図
【発明を実施するための形態】
【０００７】  以下、本発明（Ｓ）の実施の形態と使用法を説明する。
ポンプボトル（１５）の注入口域にすっぽり被さるほどの内径を有し、上下に開口した高さ約３５ミリの円筒体を、平面に立て置いた場合の筒内に於いて、
上下のほぼ中間に厚仕切り（９）が設けてあり、厚仕切り（９）を挟んで上方側が詰め替えパック（１４）に当てがわれる注入側、下方側がポンプボトル（１５）に当てがわれる排出側となる。
注入側において、
厚仕切り（９）の中央部には、詰め替えパック（１４）の注ぎ口の内径を上回る約１６ミリ径の貫通トンネル即ち排出路（８）が設けてあり、
厚仕切り（９）の排出路（８）を取り巻く面を受皿部（１）と称するが、受皿部（１）は、外円周端から中心部即ち排出路（８）へ向かって約４５°の下り斜面を成し、
排出路（８）の縁から、丁度ミサイルの弾頭もしくはリップスティックの様な先端が丸く先細った尖筒状で、詰め替えパック（１４）の注ぎ口に差し込みセットされる約４０ミリ高さの注入差込尖筒部（４）が尖筒テーパー格子リブ（７）を介して立ち上がっており、
注入差込尖筒部（４）は、詰め替えパック（１４）注ぎ口の内径より僅かに小径であり、頭部域から詰め替えパック（１４）の注ぎ口の内径より僅かに大径になり根元の排出路（８）縁へ向かって、壁面は径の差の分だけ僅かに裾広がりにテーパーをつけてあり、且つ、この壁面の頭部域即ち尖筒部ヘッド（３）を除く三方に等間隔で、縦に細長く切り欠いた注入スリット孔（６）が設けてあり、壁面は注入スリット孔（６）と交互に現れる格子状の面即ち尖筒テーパー格子（５）を成し、尖筒テーパー格子（５）は排出路（８）の内壁に添って下端まで、尖筒テーパー格子リブ（７）と尖筒テーパー格子（５）の厚みの分だけ内側へ出っ張りながら連続している。
排出側において、
厚仕切り（９）面に現れる排出路（８）の下端縁を周回して、厚み幅２ミリで厚仕切り（９）面から２ミリ突き出る形で、段差凸リブ（１０）が設けてあり、排出路（８）内壁には、尖筒テーパー格子（５）の出っ張り分だけ壁面との間にできた溝が、詰め替えパック（１４）から流れ落ちる落流ガイド溝（１１）として現れ、段差凸リブ（１０）の下端縁には、尖筒テーパー格子（５）から連続して、下方に向かって約１２ミリ突き出した落流ガイド（１２）が設けてある。
斯様に形成された円筒体が、注入側の上端開口縁（２）一杯に詰め替えパック（１４）の注ぎ口に装着セットされ、排出側の下端開口縁（１３）をポンプボトル（１５）の注入口にすっぽり被せる形で装着セットされて、速やかな詰め替え作業が行われるのである。
本発明（Ｓ）は以上の様な構成であり、以下その具体的な使用法を説明する。
本発明（Ｓ）を使用するときは、詰め替えパック（１４）の注ぎ口に注入差込尖筒部（４）を挿し、本発明（Ｓ）を軽くねじ込むようにして、詰め替えパック（１４）を尖筒テーパー格子（５）に密着させて、次に、本発明（Ｓ）の排出側をポンプボトル（１５）の注入口にすっぽりと被せてから、詰め替えパック（１４）の中身を絞り出す。
詰め替えパック（１４）から絞り出された中身は、注入スリット孔（６）を通り抜けて排出路（８）を通り、粘性の強い原液でも落流ガイド（１２）に導かれて、スムーズにポンプボトル（１５）へ排出される。
本発明（Ｓ）を使用することで、詰め替えパック（１４）とポンプボトル（１５）が一体化されることにより、ポンプボトル（１５）を倒したり、詰め替えパック（１４）の中身を溢したりすることがなくなる。
【符号の説明】
【０００８】    １  受皿部
２  上端開口縁
３  尖筒部ヘッド
４  注入差込尖筒部
５  尖筒テーパー格子
６  注入スリット孔
７  尖筒テーパー格子リブ
８  排出路
９  厚仕切り
１０  段差凸リブ
１１  落流ガイド溝
１２  落流ガイド
１３  下端開口縁
１４  詰め替えパック
１５  ポンプボトル
Ｓ  本発明
【図１】
2019172366.tif 000003
【図２】
2019172366.tif 000004
【図３】
2019172366.tif 000005
【図４】
2019172366.tif 000006